(57)【要約】      （修正有）【課題】摘便作業にいおて、汚損防止に対する過度な配慮を抑制しつつ、準備から片付けまでの各作業を簡易にするための摘便用シートを提供する。【解決手段】被摘便者の腸内の便を取り除くために用いられる摘便用シート１であって、シート本体１０及び手袋部２０を有する。シート本体は、開口部１２を備え、側臥位の被摘便者の少なくとも臀部を含む一部が載置面に載置される。手袋部２０は、開口部１２から載置面側に延出し、開口部１２から手を挿脱可能である。【選択図】図３
2019150417.tif 000002
【特許請求の範囲】
【請求項１】
被摘便者の腸内の便を取り除くために用いられる摘便用シートであって、
開口部を備え、側臥位の被摘便者の少なくとも臀部を含む一部が載置面に載置されるシート本体と、
前記開口部から前記載置面側に延出し、該開口部から手を挿脱可能な手袋部と、
を有する摘便用シート。
【請求項２】
前記開口部は、前記載置面とは異なる位置に形成された請求項１に記載の摘便用シート。
【請求項３】
前記シート本体の端部のうち、少なくとも前記載置面よりも前記開口部側に位置する端部に、前記載置面側に突出した突出部が形成された請求項２に記載の摘便用シート。
【請求項４】
前記シート本体は、矩形状を呈し、
前記載置面には、背丈方向が二辺に略平行な状態で側臥位の摘便者が載置され、
前記シート本体の端部のうち、少なくとも前記手袋部を介して前記載置面に対向する一辺を形成する端部に、前記載置面側に突出した突出部が形成された請求項２に記載の摘便用シート。
【請求項５】
前記シート本体は、矩形状を呈し、
前記載置面には、背丈方向が二辺に略平行な状態で側臥位の摘便者が載置され、
前記シート本体の端部のうち、少なくとも前記背丈方向に略直交する二辺を形成する端部に、前記載置面側に突出した突出部が形成された請求項２又は４に記載の摘便用シート。
【請求項６】
前記手袋部は、掌面が前記載置面に対向する請求項１〜５の何れかに記載の摘便用シート。
【請求項７】
前記シート本体は、透過性を有する請求項１〜６の何れかに記載の摘便用シート。
【発明の詳細な説明】
【技術分野】
【０００１】
この発明は、被摘便者の腸内の便を取り除くために用いられる摘便用シートに関する。
【背景技術】
【０００２】
従来より、患者・被介護者（要介護者）などの中でも自ら排便することが困難な者に対し、看護師等による摘便が行われている。摘便は、肛門から指を入れ、腸内の便を摘出する行為である。
【０００３】
摘便作業には、手袋、洗浄液、オイル、吸水シート及びティッシュペーパー等が用いられる（例えば、非特許文献１参照）。摘便作業は、通常、腸内の便が摘出される被摘便者のベッドの上で行われる。摘便を行う摘便者は、最初に準備作業を行う。準備作業は、側臥位の状態で被摘便者のおむつを取って腰を折るようにして臀部を剥き出しにし、吸水シートを臀部の下に敷く。また、使用済みおむつが再利用可能な場合には、使用済みおむつの上に吸水シートを設置する。あるいは、使用済みおむつが再利用不可能な場合には、そのままおむつを吸水シートとして使用する若しくはその上に吸水シートを設置する。
【０００４】
準備作業が完了すると、摘便者は、手袋を装着して、被摘便者の肛門に指を差し込み、便を掻き出す（摘出作業）。掻き出す便が固い場合、使用済みのおむつあるいはおむつ上の吸水シートの上に掻き出した便が落ちるように、摘便者には細心の注意が必要とされる。また、摘出作業は、直腸にたまった便だけではなく、Ｓ字結腸にたまった便が直腸に来るように促しながら行われる。摘出作業において、腸に指を差し込む回数は、便の状態によって２０回から５０回にも及ぶ。
【０００５】
また。掻き出した便が柔らかい場合、手袋に便が付着しやすい。したがって、使用済みのおむつの汚損していない部分、おむつの上に置かれた吸水シートの汚損していない部分、又は、事前に用意したティッシュで、手袋に付着した便を拭き取る。この場合、腸に指を差し込む回数が２０回から５０回に及ぶのに加え、手袋に付着した便を拭き取れる場所を探さなければならず、摘便者にとってかなりの負担となる。
【０００６】
摘便後、摘便者は、洗浄液を用いて被摘便者の臀部・肛門を洗浄する（洗浄作業）。この洗浄液は１００ｍｌ前後を使用するが、通常、使用した洗浄液は、使用済みおむつもしくは吸水シートで吸収することになる。この際、摘便者は使用済み洗浄液によりベッド等の汚損防止に注意を払わなくてはならない。
【０００７】
臀部の洗浄後、摘出した便、その他の道具を片付ける（片付け作業）。片付け作業は、被摘便者のベッド上で行われるため、摘便者は周囲への汚損防止に注意を払う必要がある。
【０００８】
上述の摘便作業において、摘便者は、薄い腸を傷つけないように丁寧に、且つ、被摘便者の負担を軽減するため速やかに作業を行う必要がある。したがって、便を掻き出す作業は熟練を要する。
【先行技術文献】
【非特許文献】
【０００９】
【非特許文献１】介護る．ｃｏｍ，[ｏｎｌｉｎｅ]，２０１３年，検索日：２０１８ 年２月２１日，ＵＲＬ，http://kaigol.com/haisetsu_benpi5.html
【発明の概要】
【発明が解決しようとする課題】
【００１０】
しかしながら、便が適切な位置に落下するように注意を払いつつ、２０回から５０回にも及ぶ摘便作業は、摘便者にとってかなりの負担となる。特に、関節拘縮の患者等が被摘便者の場合には、足が臀部に接近又は密着しており、被摘便者の足が邪魔をして被摘便者の足を汚すことなく摘便作業を行うことは摘便者にとって非常に大きな負担となる。しかも、ベッド等の狭い空間で作業しなければならず、また、作業に必要な道具が多いため、ベッド等の周囲の汚損を防止しつつ、丁寧且つ速やかに行うことは、非常に困難である。
【００１１】
本発明は、摘便作業において、汚損防止に対する過度な配慮を抑制しつつ、準備から片付けまでの各作業を簡易にするための摘便用シートを提供することを目的とする。
【課題を解決するための手段】
【００１２】
本発明の第１の側面によって提供される摘便者の腸内の便を取り除くために用いられる被摘便用シートは、シート本体及び手袋部を有する。シート本体は、開口部を備え、側臥位の被摘便者の少なくとも臀部を含む一部が載置面に載置される。手袋部は、開口部から載置面側に延出し、開口部から手を挿脱可能である。
【００１３】
上述の開口部は、載置面とは異なる位置に形成されるようにしてもよい。
【００１４】
上述のシート本体の端部のうち、少なくとも載置面よりも開口部側に位置する端部に、載置面側に突出した突出部が形成されるようにしてもよい。
【００１５】
上述のシート本体は、矩形状を呈し、また載置面には、背丈方向が二辺に略平行な状態で側臥位の摘便者が載置され、シート本体の端部のうち、少なくとも手袋部を介して載置面に対向する一辺を形成する端部に、載置面側に突出した突出部が形成されるようにしてもよい。
【００１６】
上述のシート本体は、矩形状を呈し、載置面には、背丈方向が二辺に略平行な状態で側臥位の摘便者が載置され、シート本体の端部のうち、少なくとも背丈方向に略直交する二辺を形成する端部に、載置面側に突出した突出部が形成されるようにしてもよい。
【００１７】
上述の手袋部は、掌面が載置面に対向するようにしてもよい。
【００１８】
上述のシート本体は、透過性を有するようにしてもよい。
【発明の効果】
【００１９】
この発明によれば、被摘便者に敷くシート本体と、摘便者が着用する手袋（手袋部）とが一体に形成されているので、摘便作業に用いる道具数が減少する。また、摘便者が着用した手袋部の移動に伴って、シート本体の一部が被摘便者の臀部を覆うような状態となり、摘出した便を留めておきやすい。また、シート本体の一部が被摘便者の臀部を覆うことによって、被摘便者の臀部と摘便者との間がシート本体で区切られることとなる。これにより、掻き出された便が飛散等して、摘便者を汚損することも防止される。そして、片付けにおいても、シート本体の端部を一か所にまとめて袋状にして廃棄すれば、摘出した便及び手袋部もまとめて廃棄できる。
【００２０】
したがって、汚損防止に対する過度な配慮が抑制され、また準備から片付けまでの各作業を簡易にできる。これにより、摘便者の作業負担が軽減され、作業性も向上する。
【図面の簡単な説明】
【００２１】
【図１】本発明が適用された摘便用シートの構成を示す平面図及び底面図である。
【図２】本発明が適用された摘便用シートの構成を示す正面図である。
【図３】本発明が適用された摘便用シートを用いた摘便作業を説明する説明図である。
【図４】本発明が適用された摘便用シートを用いた摘便作業を説明する説明図である。
【図５】本発明が適用された摘便用シートの構成を示す平面図及び底面図である。
【図６】本発明が適用された摘便用シートの構成を示す正面図及び側面図である。
【図７】本発明が適用された摘便用シートを用いた摘便作業を説明する説明図である。
【図８】本発明が適用された摘便用シートの一部を拡大した拡大断面図である。
【図９】本発明が適用された摘便用シートの構成を示す平面図である。
【発明を実施するための形態】
【００２２】
図面を参照して本発明の実施形態である摘便用シートについて説明する。なお、本発明の構成は、実施形態に限定されるものではない。以下、摘便を行う看護師等を摘便者とし、便が摘出される患者等を被摘便者として説明する。
（第１実施形態）
図１及び図２は、本発明が適用される第１実施形態に係る摘便用シート１の構成を示す平面図、底面図及び正面図である。摘便用シート１は、肛門から指を入れて便を摘出する摘便を行う際、側臥位（横臥位）の被摘便者の下に敷くシートである。なお、摘便用シート１を用いた摘便作業については後述する。
【００２３】
摘便用シート１は、シート本体１０及び手袋部２０を少なくとも備える。シート本体１０は、長辺Ａ，Ｂ及び短辺Ｃ，Ｄで形成される矩形状のシートであり、載置面１１及び開口部１２等を有する。シート本体１０のサイズは、例えば、長辺７００ｍｍ、短辺６５０ｍｍである。載置面１１は、シート本体１０の表面の一部の領域であり、長辺Ｂ側に位置する。載置面１１には、側臥位の被摘便者の少なくとも臀部を含む一部が載置される（図３参照）。なお、図１（Ａ）等では、説明の便宜上、載置面をハッチングで示している。
【００２４】
開口部１２は、長辺Ａ及び短辺Ｄ側に位置し、シート本体１０の表面側と裏面側とを連通する。手袋部２０は、摘便者の右手に着用される。手袋部２０は、開口部１２からシート本体１０の表面側（載置面側）に延出し、手袋本体２１及び裾部２２等を有する。なお、図１（Ａ）、図２等では、説明の便宜上、手袋部がシート本体に対して起立している状態で示している。
【００２５】
手袋本体２１は、５本の指袋を有し、摘便者の手を覆う袋状に形成されている。裾部２２は、開口部１２と手袋本体２１とを連通し、摘便者の手首及び前腕の一部を覆う筒状に形成されている。裾部２２の一端は開口部１２に連接され、他端は手袋本体２１に連接されている。手袋本体２１は、掌面が載置面１１（被摘便者の臀部）に対向する。なお、摘便者は、シート本体１０の裏面側から開口部１２に右手を挿入して、手袋部２０を着用すればよい。また、着用している手袋部２０から右手を外す時は、着用の際の逆の手順を行えばよい。
【００２６】
シート本体１０には、防水性及び柔軟性のある素材が用いられる。例えば、ポリエチレン、ポリエステル、塩化ビニール、ナイロン等の合成樹脂、ニトリル等の合成ゴム等がある。また、摘便用シート１の厚みは、柔軟性が損なわれない程度の厚みであれば、特に限定されない。例えば、０．０１ｍｍ〜０．１０ｍｍ程度とすればよい。また、手袋部２０の素材についても同様である。
【００２７】
本実施形態では、シート本体１０及び手袋部２０にポリエステルが用いられ、シート本体１０及び手袋部２０が一体生成される。なお、シート本体１０及び手袋部２０は、別々に生成した後、接着させてもよい。また、シート本体１０及び手袋部２０には、異なる素材を用いてもよい。例えば、シート本体１０にポリエステルを用い、手袋部２０にゴムを用いる。
【００２８】
次に、図３を参照して、摘便用シート１を用いた摘便作業の一例を説明する。なお、説明の便宜上、摘便者の図示は省略する。
【００２９】
摘便作業には、摘便用シート１、洗浄液、オイル及びティッシュペーパー等の道具を用いる。摘便作業には、準備作業、摘出作業、洗浄作業及び片付け作業等が含まれる。最初に、準備作業として、各道具を用意する。また、ベッド上で、側臥位で被摘便者のおむつを取って臀部を剥き出しにし、摘便用シート１の載置面１１を臀部の下（鉛直下方）に敷く。これにより、図３（Ａ）に示すような状態となる。なお、載置面１１上には、少なくとも臀部が載置されていればよい。
【００３０】
次に、摘便者が被摘便者の便を摘出する摘出作業が行われる。最初に、摘便者の右手を、摘便用シート１の裏面側の開口部１２から手袋部２０に挿入し、右手に手袋部２０を着用する。
【００３１】
その後、摘便者は、図３（Ｂ）に示すように、右手の指を被摘便者の肛門から差し込み、便を掻き出していく。この時、シート本体１０と手袋部２０とは一体であるため、図３（Ｂ）に示すように、シート本体１０の長辺Ａ側は、手袋部２０（摘便者の右手）の移動に追従して、被摘便者の臀部を覆うような状態となる。すなわち、シート本体１０の一部が臀部に対向する壁面として機能する。これにより、掻き出された便は、飛散等することなく、シート本体１０の表面上に落下、付着して滞留することになる。したがって、摘便者は、掻き出された便の行方を気にすることなく作業を行うことができる。
【００３２】
なお、シート本体１０の表面上には、例えば、ティッシュペーパー等の吸水体を載せておくことが望ましい。これにより、軟便の場合であっても、掻き出された便がシート本体１０の短辺Ｃ，Ｄを構成する端部から漏れ出ることが防止される。また、手袋部２０に便が付着した場合は、載置されているティッシュペーパー、又は、シート本体１０等で拭き取ればよい。
【００３３】
また、上述したようにシート本体１０の一部が被摘便者の臀部を覆うことで、被摘便者の臀部と摘便者との間がシート本体１０で区切られることとなる。すなわち、被摘便者はシート本体の表面側に位置し、摘便者はシート本体１０の裏面側に位置することとなる。したがって、掻き出された便が飛散等し、摘便者を汚損することも防止される。しかも、摘便者自身は、シート本体１０の裏面側に位置するが、摘便を行う右手は手袋部２０を介して、シート本体１０の表面側に位置することになるので、シート本体１０が邪魔にならず、非常に作業性が良い。
【００３４】
さらに、シート本体１０の載置面１１側は、被摘便者の重量によって固定された状態である。したがって、摘便者の作業によって手袋部２０が移動しても、シート本体１０は初期位置からズレにくい。
【００３５】
次に、便の摘出後、洗浄液等を用いて被摘便者の臀部・肛門の洗浄及び拭き取りを行う洗浄作業が行われる。拭き取りには、ティッシュペーパー等を用いればよい。この場合においても、摘便時と同様に、図３（Ｂ）に示す状態で作業が行われるので、使用済み洗浄液等がシート本体１０の表面上に落下して滞留する。シート本体１０の表面上にティッシュペーパーが載置されていれば、使用済み洗浄液等の液体はティッシュペーパーに吸収される。したがって、洗浄作業においても、作業性を確保しつつ、周囲への汚損が防止される。
【００３６】
洗浄後、摘出した便、その他の道具を片付ける片付け作業が行われる。まず、摘便者の右手を手袋部２０から外す。次に、シート本体１０の表面上の便、使用済みのティッシュペーパー等はそのままの状態で、被摘便者の下に敷かれているシート本体１０（載置面１１）部分を引き出す。そして、シート本体１０の表面が内面となる袋状となるように、シート本体１０の端部（辺Ａ〜Ｄ）を合わせて括る。これにより、便等の廃棄物をシート本体１０内に一まとめにして廃棄できる。したがって、片付け作業も容易となって摘便者の作業負担が軽減される。また、周囲への汚損も防止される。
【００３７】
以上のように、シート本体１０に手袋部２０を設けた摘便用シート１を摘便作業に用いることで、汚損防止に対する過度な配慮が低減され、また準備から片付けまでの各作業を簡易にできる。これにより、摘便者の作業負担が軽減され、作業性も向上する。
【００３８】
なお、シート本体１０は、透過性の素材を用いてもよい。これにより、摘便者は、シート本体１０を介しても、被摘便者の臀部の様子を視認することができ、摘便者の作業性がより向上する。
【００３９】
なお、上述の実施形態では、被摘便者が、膝関節を比較的伸ばした状態での摘便作業について説明したが、関節拘縮の被摘便者にも、摘便用シート１を有効に用いることができる。関節拘縮の被摘便者は、膝の伸展が困難な状態である。そのため、シート本体１０の右辺Ｄ側を脚部の下方に敷かず、図４（Ａ）に示すように、右辺Ｄ側で脚部を覆うような状態とすればよい。関節拘縮の被摘便者の場合、臀部と脚部とが非常に接近した状態となるが、上述のように脚部にシート本体１０の一部が覆われた状態であれば、掻き出された便によって被摘便者の脚部が汚損されることを防止できる。
【００４０】
その後、摘便者は、図４（Ｂ）に示すように、右手に手袋部２０を着用し、上述した同様の摘便作業を行えばよい。
（第２実施形態）
図５及び図６は、本発明が適用される第２実施形態に係る摘便用シート１００の平面図、底面図、正面図及び側面図である。摘便用シート１００は、シート本体１１０の端部となる辺Ａ′〜Ｄ′に突出部１３０Ａ〜１３０Ｄ（１３０）が設けられている点で、上述の摘便用シート１と異なる。以下、主として第１実施形態と異なる構成について説明する。
【００４１】
突出部１３０Ａ〜１３０Ｄは、各辺Ａ′〜Ｄ′に付けられた折れ目から、シート本体の表面（載置面１１１）側に突出（起立）している。
【００４２】
摘便作業では、図７に示すように、突出部１３０Ａが被摘便者の臀部の上方を蓋をするように覆うことになる。したがって、掻き出された便が飛散等することががより防止される。また、突出部１３０Ｃ，１３０Ｄによって、掻き出された便、使用済みの洗浄液等が、シート本体１１０の左端Ｃ′及び右端Ｄ′側から流れ出ることを、より防止できる。
【００４３】
なお、突出量（高さ）は、シート本体の表面よりも高く突出していればよい。例えば、突出部１３０Ａの高さを８０ｍｍとし、突出部１３０Ｂ〜１３０Ｄの高を１０ｍｍとすればよい。また、突出部１３０の構成は、シート本体の表面よりも高く突出していれば各種の構成を採用可能である。例えば、図８に示す突出部１３０′のように、シート本体１１０′の端部を織り込んで圧着させた構成であってもよい。また、例えば、高吸水性樹脂等をシート本体の端部に張り付けて突出部としてもよい。
【００４４】
また、突出部１３０は、シート本体１１０の全周にわたって設けなくてもよい。例えば、
シート本体１１０の端部のうち、手袋部２０を介して載置面１１１に対向する一辺を形成する端部（長辺Ａ′を構成する端部）のみであってもよい。あるいは、被摘便者の背丈方向に略直交する二辺を形成する端部（左辺Ｂ′及び右辺Ｄ′を構成する端部）のみであてもよい。または、図９の領域ＰＰ内に含まれるような載置面１１１よりも開口部（手袋部２０）側に位置する端部に、突出部を設けてもよい。
【００４５】
なお、上述の各実施形態では、シート本体は矩形状であるが、特にこれに限定されるものではない。シート状であれば任意の形状を採用可能である。例えば、円形状であってもよい。また、シート本体のサイズは、上述の実施形態で例示したサイズに限定されず、摘便作業を行えるサイズであれば任意のサイズを採用可能である。また、手袋部のサイズ及び形状においても、摘便者が着用可能であれば任意のサイズ及び形状を採用可能である。また、手袋部を構成する裾部は設けなくてもよい。さらに、シート本体の開口部においても、摘便者の手が挿脱可能であれば任意のサイズ及び形状を採用可能である。
【００４６】
また、上述の各実施形態では、載置面は、シート本体の表面における約半分の領域を占めるが、形状及び位置は、特にこれに限定されるものではない。少なくとも開口部（手袋部）と異なる位置にあり、且つ、側臥位の被摘便者の少なくとも臀部を含む一部が載置可能であれば、任意の形状及び位置を採用可能である。
【００４７】
なお、上述の各実施形態では、右手用の手袋部を用いて説明しているが、例えば、左手用の手袋部を用いてもよい。
【産業上の利用可能性】
【００４８】
摘便作業において、汚損防止に対する過度な配慮を抑制し、準備から片付けまでの各作業を簡易にするのに有用である。
【符号の説明】
【００４９】
１，１００  摘便用シート
１０，１１０  シート本体
１１，１１１  載置面
１２  開口部
２０  手袋部
２１  手袋本体
２２  裾部
１３０Ａ〜１３０Ｄ  突出部
【図１】
2019150417.tif 000003
【図２】
2019150417.tif 000004
【図３】
2019150417.tif 000005
【図４】
2019150417.tif 000006
【図５】
2019150417.tif 000007
【図６】
2019150417.tif 000008
【図７】
2019150417.tif 000009
【図８】
2019150417.tif 000010
【図９】
2019150417.tif 000011